(57)【要約】【課題】コネクタの嵌合作業を容易に行えるようにする。【解決手段】便器は、下側ケーシング２０と、上側ケーシング５０と、下側ケーシング２０側に設けられる複数の下側コネクタ４０Ａ〜Ｅと、上側ケーシング５０側に設けられる複数の上側コネクタ７０Ａ〜Ｅとを備える。下側ケーシング２０には、複数の下側コネクタ４０Ａ〜Ｅを保持するコネクタ保持具８０が取り付けられる。各下側コネクタ４０Ａ〜Ｅから引き出された電線群４７は、コネクタ保持具８０の下面側に沿って配されるようになっている。コネクタ保持具８０は、下側ケーシング２０の平面視中央よりも端寄りに配されている。【選択図】図８
2010196368.tif 000002
【特許請求の範囲】
【請求項１】
便器本体と、この便器本体の後部に設置される下側ケーシングと、この下側ケーシング側に設けられ、電線の端末に接続される、複数の下側コネクタと、これら下側コネクタを覆いつつ前記下側ケーシングに上方から取り付けられる上側ケーシングと、この上側ケーシング側に設けられ、電線の端末に接続される、複数の上側コネクタとを備え、前記上側及び下側の両ケーシングの取り付けが完了する前に、前記上側及び下側の両コネクタの嵌合動作を行うようにした便器であって、
前記下側ケーシングには、前記複数の下側コネクタを保持するコネクタ保持具が取り付けられ、前記各下側コネクタから引き出された電線群は、前記コネクタ保持具の下面側に沿って配されるようになっており、前記コネクタ保持具は、前記下側ケーシングの平面視中央よりも端寄りに配されていることを特徴とする便器。
【請求項２】
前記コネクタ保持具の片側の縁部は、前記下側ケーシングの片側の縁部に沿って配されていることを特徴とする請求項１記載の便器。
【請求項３】
前記コネクタ保持具の下面側には、前記電線群を束ねて支持する電線保持部が形成されていることを特徴とする請求項１又は２記載の便器。
【請求項４】
前記コネクタ保持具には、前記電線群を上方へまとめて引き出す１つの導出部が形成されていることを特徴とする請求項１ないし３のいずれか１項記載の便器。
【請求項５】
前記下側ケーシング内には回路基板が収容され、この回路基板には複数の基板コネクタが接続され、これら基板コネクタと前記各下側コネクタの対応するもの同士が電線の両端に接続されるようになっており、前記回路基板は、前記導出部と隣接して配されていることを特徴とする請求項４記載の便器。
【請求項６】
前記コネクタ保持具の上面側には、前記両ケーシングの取り付け状態で、前記上側ケーシングの側板と、前記導出部から導出される電線群との間を仕切る仕切り部が立ち上げ形成されていることを特徴とする請求項４又は５記載の便器。
【請求項７】
前記コネクタ保持具の上面側には、前記両ケーシングの取り付けが完了する前に、前記上側ケーシングを支持する仮置き部が立ち上げ形成されており、この仮置き部に支持された前記上側ケーシングと前記コネクタ保持具との間には、前記両コネクタの嵌合動作を行うための作業空間が保有されることを特徴とする請求項１ないし６のいずれか１項記載の便器。
【請求項８】
前記コネクタ保持具には、前記電線群を上方へまとめて引き出す１つの導出部が形成され、前記コネクタ保持具の上面側には、前記両ケーシングの取り付け状態で、前記上側ケーシングの側板と、前記導出部から導出される電線群との間を仕切る仕切り部が立ち上げ形成されており、前記仮置き部は、前記仕切り部に構成されていることを特徴とする請求項７記載の便器。
【請求項９】
前記コネクタ保持具は、前記複数の下側コネクタが縦一列に保持される縦長の形状をなし、その長手方向を前記下側ケーシングの片側の縁部に沿う方向に向けて配されていることを特徴とする請求項１ないし８のいずれか１項記載の便器。
【請求項１０】
前記上側ケーシングの下面側には、前記各上側コネクタから引き出された電線群を束ねる電線結束部が形成されており、
前記電線結束部は、前記両ケーシングの取り付け状態で、前記コネクタ保持具と対向する位置に配されることを特徴とする請求項１ないし９のいずれか１項記載の便器。
【請求項１１】
前記コネクタ保持具は、下方に開放された箱形状をなしていることを特徴とする請求項１ないし１０のいずれか１項記載の便器。
【請求項１２】
前記上側ケーシングにはロック部が形成され、前記下側ケーシングには、前記ロック部に係止されて前記両ケーシングを取り付け状態に保持するロック受け部が形成されており、
前記コネクタ保持具には、前記両ケーシングの取り付けの過程で、前記ロック部を挿入案内する案内溝が形成されていることを特徴とする請求項１ないし１１のいずれか１項記載の便器。 
【発明の詳細な説明】
【技術分野】
【０００１】
本発明は、便器に関する。
【背景技術】
【０００２】
特許文献１に記載の便器は、便器本体の後部に設置される下側ケーシングと、下側ケーシングに対して上方から取り付けられる上側ケーシングとを備え、両ケーシングの内部には、洗浄タンクが収容されている。下側ケーシング側には、電線の端末に接続された下側コネクタが設けられ、上側ケーシング側には、電線の端末に接続された上側コネクタが設けられ、両ケーシングの取り付けが完了する前に、両コネクタの嵌合動作が行われるようになっている。また、電線は、下側ケーシングの平面視中央部から下側コネクタが配された端側にかけて露出状態で延出して配されている。
【先行技術文献】
【特許文献】
【０００３】
【特許文献１】特開２００６−１４４４５９号公報
【発明の概要】
【発明が解決しようとする課題】
【０００４】
ところで、上記従来の便器の場合、電線の引き出し具合等によっては、電線を狭いスペース内で回り込ませながら接続を行わねばならないことがあり、コネクタの嵌合作業がし辛いという事情があった。とりわけ、下側ケーシングに下側コネクタが複数設けられるようになると、電線の配線構造そのものが煩雑となり、コネクタの嵌合作業がいっそうし辛くなるおそれがあった。
【０００５】
本発明は上記のような事情に基づいて完成されたものであって、コネクタの嵌合作業を容易に行えるようにすることを目的とする。
【課題を解決するための手段】
【０００６】
本発明の便器は、便器本体と、この便器本体の後部に設置される下側ケーシングと、この下側ケーシング側に設けられ、電線の端末に接続される、複数の下側コネクタと、これら下側コネクタを覆いつつ前記下側ケーシングに上方から取り付けられる上側ケーシングと、この上側ケーシング側に設けられ、電線の端末に接続される、複数の上側コネクタとを備え、前記上側及び下側の両ケーシングの取り付けが完了する前に、前記上側及び下側の両コネクタの嵌合動作を行うようにした便器であって、
前記下側ケーシングには、前記複数の下側コネクタを保持するコネクタ保持具が取り付けられ、前記各下側コネクタから引き出された電線群は、前記コネクタ保持具の下面側に沿って配されるようになっており、前記コネクタ保持具は、前記下側ケーシングの平面視中央よりも端寄りに配されている構成としたところに特徴を有する。
【０００７】
このような構成であれば、複数の下側コネクタがコネクタ保持具に集まるため、複数個所に分散されるよりも、両コネクタの嵌合作業を行いやすい。また、電線群がコネクタ保持具の下面側に沿って配されているから、電線群の取り回しの煩わしさがない。さらに、下側ケーシングの端寄りの位置で両コネクタの嵌合作業を行えるので、作業者の手も届きやすい。したがって、本発明の便器によれば、コネクタの嵌合作業を容易に行うことできる。しかも、複数の下側コネクタがコネクタ保持具に集約され、電線群がコネクタ保持具の下面側に沿って配されるため、意匠性に優れる。
【０００８】
この場合、コネクタ保持具の片側の縁部は、下側ケーシングの片側の縁部に沿って配されているのが好ましい。これにより、作業性の手がより届きやすい範囲でコネクタの嵌合作業を行えるので、本発明の効果を顕著に享受することができる。
【０００９】
また、コネクタ保持具の下面側には、電線群を束ねて支持する電線保持部が形成されているのが好ましい。
【００１０】
こうすると、電線群がばらけることがなく、電線がはみ出して両ケーシング間にかみ込むのが防止される。なお、電線保持部は、コネクタ保持具とは別体の結束バンドのようなものでもよいが、コネクタ保持具と一体化されていれば、部品点数を削減できるため、より望ましい。
【００１１】
また、コネクタ保持具には、電線群を上方へまとめて引き出す１つの導出部が形成されているのが好ましい。これにより、電線群が導出部からまとまりよく引き出されるため、引き出された電線群の取り回し性に優れる。
【００１２】
また、この便器では、下側ケーシング内には回路基板が収容され、この回路基板には複数の基板コネクタが接続され、これら基板コネクタと各下側コネクタの対応するもの同士が電線の両端に接続されるようになっており、回路基板は、導出部と隣接して配されていることが好ましい。
【００１３】
こうすると、基板コネクタと下側コネクタとに接続される電線の長さを短くできるため、基板コネクタを回路基板に接続する際に、電線の遊びを小さく抑えることができ、作業性の向上を図れる。また、下側ケーシング内において、他の部品と電線とが干渉するのを回避でき、電線の損傷を防止できる。
【００１４】
また、コネクタ保持具の上面側には、両ケーシングの取り付け状態で、上側ケーシングの側板と、導出部から導出される電線群との間を仕切る仕切り部が立ち上げ形成されていることが好ましい。
【００１５】
かかる仕切り部によって、電線がコネクタ保持具の外側にはみ出て両ケーシング間にかみ込まれるのが防止される。
【００１６】
また、この便器では、コネクタ保持具の上面側には、両ケーシングの取り付けが完了する前に、上側ケーシングを支持する仮置き部が立ち上げ形成されており、この仮置き部に支持された上側ケーシングとコネクタ保持具との間には、両コネクタの嵌合動作を行うための作業空間が保有されるのが好ましい。
【００１７】
こうすると、作業者は、上側ケーシングを仮置き部に支持させた状態で、作業空間を通して両コネクタの嵌合作業を行える。このため、作業者が上側ケーシングを支える必要がなく、作業性のいっそうの向上を図れる。しかも、仮置き部がコネクタ保持具に形成されているため、下側ケーシングの形状の簡素化を図れる。
【００１８】
また、コネクタ保持具には、電線群を上方へまとめて引き出す１つの導出部が形成され、コネクタ保持具の上面側には、両ケーシングの取り付け状態で、上側ケーシングの側板と、導出部から導出される電線群との間を仕切る仕切り部が立ち上げ形成されており、仮置き部は、仕切り部に構成されていることが好ましい。
【００１９】
このような構成であれば、仕切り部が上側ケーシングを仮置きする仮置き手段を兼備するため、コネクタ保持具の小型化を図れる。この場合、仕切り部の高さを高くすることにより、作業空間が広く確保されるとともに、両ケーシング間に電線がかみ込まれるのがより確実に防止される。
【００２０】
また、コネクタ保持具は、複数の下側コネクタが縦一列に保持される縦長の形状をなし、その長手方向を下側ケーシングの片側の縁部に沿う方向に向けて配されていることが好ましい。
【００２１】
このように、コネクタ保持具がコンパクトにまとめられて下側ケーシングの片側に寄せられることにより、下側ケーシングのスペース効率が良好となり、空きスペースに部品を設置する際の自由度が高められる。また、意匠性にも優れる。
【００２２】
また、この便器では、上側ケーシングの下面側には、各上側コネクタから引き出された電線群を束ねる電線結束部が形成されており、電線結束部は、両ケーシングの取り付け状態で、コネクタ保持具と対向する位置に配されることが好ましい。
【００２３】
かかる電線結束部によって、電線群がばらけて両ケーシング間に電線がかみ込まれるのが防止される。また、電線結束部がコネクタ保持具と対向する位置に配されることで、上側コネクタから引き出された電線の長さを短くできるため、上側ケーシング側でも電線の取り回し性の向上を図れる。
【００２４】
また、コネクタ保持具は、下方に開放された箱形状をなしていることが好ましい。これにより、コネクタ保持具の剛性が高められる。また、コネクタ保持具の下面側に配される電線の両脇にコネクタ保持具の両側壁が位置するため、電線の両側方への遊動が規制され、両ケーシング間に電線がかみ込むのが防止されるとともに、電線が他の部品と干渉するのが回避される。
【００２５】
また、この便器では、上側ケーシングにはロック部が形成され、下側ケーシングには、ロック部に係止されて両ケーシングを取り付け状態に保持するロック受け部が形成されており、コネクタ保持具には、両ケーシングの取り付けの過程で、ロック部を挿入案内する案内溝が形成されていることが好ましい。
【００２６】
こうしてロック部が案内溝に挿入案内されることで、両ケーシングの取り付けが円滑に行われるとともに、ロック信頼性が高められる。しかも、案内溝がコネクタ保持具に形成されているため、下側ケーシングの形状の簡素化を図れる。
【図面の簡単な説明】
【００２７】
【図１】実施例の便器の側面図である。
【図２】上側及び下側の両ケーシングの取り付け前の一部破断側面図である。
【図３】コネクタ保持具を取り付けた下側ケーシングの片側の平面図である。
【図４】コネクタ保持具を取り付けた下側ケーシングの一部破断側面図である。
【図５】上側ケーシングの底面図である。
【図６】コネクタ保持具の底面図である。
【図７】図６のＡ−Ａ断面図である。
【図８】上側ケーシングを仮置きした下側ケーシングの一部破断側面図である。
【発明を実施するための形態】
【００２８】
以下、本発明を具体化した実施例を図面を参照しつつ説明する。
【実施例】
【００２９】
実施例の便器は、水洗式便器である便器本体１０と、便器本体１０の後部に取り付けられる下側ケーシング２０と、下側ケーシング２０側に設けられる複数の下側コネクタ４０Ａ〜Ｅと、下側ケーシング２０に取り付けられる上側ケーシング５０と、上側ケーシング５０側に設けられる複数の上側コネクタ７０Ａ〜Ｅと、下側ケーシング２０に取り付けられるコネクタ保持具８０とを備えている。下側及び上側の両ケーシング２０、５０、下側及び上側の両コネクタ４０Ａ〜Ｅ、７０Ａ〜Ｅ及びコネクタ保持具８０は、いずれも合成樹脂製である。
【００３０】
上側ケーシング５０は、図８に示すように、下側ケーシング２０を覆蓋するカバー５１を有し、カバー５１の前端部には、便座１１及び便蓋１２が開閉可能に取り付けられている。便座１１には、図示しない電気ヒータを有するヒータ部が内蔵されている。
【００３１】
カバー５１は、やや前下がりの天板５２、左右の両側板５３及び背板５４を有し、下方に開放された扁平箱状をなしている。両側板５３の下端部には、片状のロック部５５、５６が形成されている。ロック部５５、５６は、図２に示すように、前側に位置して上下方向に真直ぐ延びる一対の第１ロック部５５と、後側に位置して下端に行くにつれ内側へ傾斜する一対の第２ロック部５６とを有している。そして、図５に示すように、カバー５１の片側の側板５３には、洗浄用の押しボタンからなるスイッチ部５７が組み込まれている。
【００３２】
また、カバー５１には、リモコンからの光信号を受光する受光部５８が組み込まれ、さらに人体の存在を検知する人体検知部５９、６０が組み込まれている。この人体検知部５９、６０は、便蓋１２が開状態のときに人体を検知する光学センサからなる下側センサ６０と、便蓋１２が閉状態のときに人体を検知する焦電センサからなる上側センサ５９とによって構成されている。受光部５８は、カバー５１の天板５２における片側の縁部に沿って配される縦長の形状をなし、上側センサ５９は、受光部５８の直前方に配されている。下側センサ６０は、カバー５１の前端部の幅方向略中央に配されている。また、カバー５１の天板５２の下面のうち、幅方向について上側センサ５９と下側センサ６０との間には、便蓋１２及び便座１１の開閉動作を行う動力部６１が組み込まれている。
【００３３】
そして、カバー５１の天板５２の下面には、上記したヒータ部、スイッチ部５７、受光部５８、人体検知部５９、６０及び動力部６１の各部から延びる複数の電線６２が配策されている。これら電線６２からなる電線群６３は、カバー５１の天板５２における片側の縁部で、かつ受光部５８の前方において取りまとめられ、そこに形成された門型枠状の電線結束部６４に後方から挿通されて結束されている。こうしてカバー５１の前方に臨む各電線６２の端末には、対応する上側コネクタ７０Ａ〜Ｅが接続され、各上側コネクタ７０Ａ〜Ｅが対応する下側コネクタ４０Ａ〜Ｅと嵌合されることにより、両コネクタ４０Ａ〜Ｅ、７０Ａ〜Ｅを介して各部への通電が行われるようになっている。
【００３４】
続いて、下側ケーシング２０について説明すると、下側ケーシング２０は、ベースプレート２１と左右一対の化粧板２２とを有している。化粧板２２は、便器の後部両側面を覆いつつベースプレート２１に外側から取り付けられている。
【００３５】
ベースプレート２１は、カバー５１内に嵌合可能な板状をなし、図４に示すように、後側に位置して便器本体１０の後部上面にボルト締めして固定される固定プレート２３と、前側に位置して固定プレート２３に対して昇降可能な可動プレート２４とからなる。図３に示すように、可動プレート２４の幅方向中央部には局部洗浄ノズル部２５が後方へ向けて上り勾配に配されている。また、可動プレート２４の後端には、局部洗浄ノズル部２５の上端よりも上方で、かつ固定プレート２３の上方を覆う位置に、電力回路が形成された電力回路基板２６と、制御回路が形成された制御回路基板２７とが幅方向両側に分かれて配されている。両回路基板２６、２７は、電線２８及び電線２８の端末に接続された中継基板コネクタ２９を介して互いに接続されている。また、両回路基板２６、２７は、上方に開放された扁平箱状の基板収容部３０内に収容されている。
【００３６】
そして、可動プレート２４の片側の縁部には、コネクタ保持具８０を取り付ける収容部３１が形成されている。収容部３１は、可動プレート２４の上面から立ち上げられ、コネクタ保持具８０をその幅方向及び後方への遊動を規制した状態で取り囲む周壁３２を有している。周壁３２の外壁は、可動プレート２４の外郭の一部を構成する片側の側壁３４であって、ここには下側ケーシング２０の第２ロック部５６を受ける凹部３３が切り欠き形成され、さらに凹部３３の下方には、第２ロック受け部３５が垂下して形成されている。第２ロック受け部３５の外側面は、第２ロック部５６と対応して内向きに傾斜する形態とされている。また、可動プレート２４には、第１ロック部５５と対応して第１ロック受け部３６も形成されている。
【００３７】
また、可動プレート２４の上面のうち収容部３１の後部底面には、幅方向に延びる位置決め壁３７が立ち上げ形成されており、この位置決め壁３７によってコネクタ保持具８０の収容部３１への取り付けが案内されるようになっている。さらに、可動プレート２４の上面のうち収容部３１の前部底面には、円柱状の第１ボルト受け部３８が立ち上げ形成されており、第１ボルト受け部３８の上面にはねじ孔３９が開口して形成されている。
【００３８】
コネクタ保持具８０は、図６に示すように、内側板８１、外側板８２及び上板８３を有し、下方に開放された前後方向に細長い箱形状をなしている。収容部３１への取り付け時には、外側板８２が可動プレート２４の片側の側壁３４に隣接して配され、内側板８１が可動プレート２４の片側の側壁３４から離れて配される。コネクタ保持具８０の上板８３の前端には、ボルト通し孔８４を有する第１ボルト締め部８５が前方へ突出して形成されている。また、コネクタ保持具８０の内側板８１の後端部には、円柱状の第２ボルト受け部８６が上下方向に延出して形成され、第２ボルト受け部８６の上面にはねじ孔８７が開口して形成されている。制御回路基板２７を収容する基板収容部３０の側壁下端には、図４に示すように、ボルト通し孔４１を有する第２ボルト締め部４２が側方へ突出して形成されている。
【００３９】
したがって、第１ボルト受け部３８に第１ボルト締め部８５を上方から重ねて、ボルト通し孔８４とねじ孔３９とを整合させ、かつ、第２ボルト締め部４２に第２ボルト受け部８６を下方から重ねて、ボルト通し孔４１とねじ孔８７とを整合させ、その状態で、上方からねじ孔３９、８３にボルト７５をねじ込むことにより、コネクタ保持具８０が下側ケーシング２０に固定されるようになっている。
【００４０】
コネクタ保持具８０の上板８３には、下側コネクタ４０Ａ〜Ｅが取り付けられる複数の取り付け孔８８が開口して形成されている。各取り付け孔８８は、前後方向（縦方向）に一列に配され、対応する下側コネクタ４０Ａ〜Ｅの外形形状に適合するよう、互いに異なる孔形状を有している。なお、図示する場合には、下側コネクタが取り付けられずに空いた取り付け孔８８が含まれている。
【００４１】
ここで、各下側コネクタ４０Ａ〜Ｅの両側面には、図６に示すように、撓み可能な一対の係止片４５が突出して形成されている。このため、各取り付け孔８８に下方から対応する下側コネクタ４０Ａ〜Ｅが挿入され、各取り付け孔８８の孔縁に両係止片４５が弾性的に係止されることで、各下側コネクタ４０Ａ〜Ｅがコネクタ保持具８０に抜け止め保持される。各下側コネクタ４０Ａ〜Ｅは、図４に示すように、電線４６の端末に接続されており、電線４６のもう一方の端末には、対応する基板コネクタ４８が接続されている。基板コネクタ４８は、制御回路基板２７又は電力回路基板２６の上面に実装されている。
【００４２】
また、コネクタ保持具８０の上板８３は、下段部８９、中段部９０及び上段部９１の順に高く配され、それぞれの上面には前向きに傾斜する斜面が形成されている。このうち、下段部８９及び上段部９１の両斜面は互いにほぼ同じ傾斜角をもった緩傾斜面とされ、中段部９０の斜面は、下段部８９及び上段部９１よりも大きい傾斜角をもった急傾斜面とされている。ここで、下段部８９の取り付け孔８８には、上側センサ５９及び下側センサ６０のそれぞれに対応する下側コネクタ４０Ａ、Ｂが挿入され、中段部９０の取り付け孔８８には、動力部６１に対応する下側コネクタ４０Ｃが挿入され、上段部９１の取り付け孔８８には、ヒータ部及びスイッチ部５７のそれぞれに対応する下側コネクタ４０Ｄ、Ｅが挿入されている。このため、各下側コネクタ４０Ａ〜Ｅの嵌合面は、各斜面の傾斜角に応じて斜め上前方を向くようになっている。
【００４３】
各下側コネクタ４０Ａ〜Ｅから引き出された電線群４７は、コネクタ保持具８０の上板８３の下面に沿って後方へ引き寄せられる。上板８３の下面には、各下側コネクタから引き出された電線群４７を束ねて支持する電線保持部９２、９３が形成されている。図６に示すように、電線保持部９２、９３は、下段部８９に形成された第１電線保持部９２と、上段部９１に形成された第２電線保持部９３とからなり、いずれも上板８３と一体化され、かつ相互の幅方向の位置をずらして構成されている。
【００４４】
第１電線保持部９２は、図７にも示すように、幅方向に一対の抱持片９４を有し、第２電線保持部９３は、片方のみの抱持片９４を有している。下段部８９の各下側コネクタ４０Ａ、Ｂから引き出された電線群４７は、第１電線保持部９２の両抱持片９４に抱持されたあと片側へ蛇行しつつ延びて、第２電線保持部９３の抱持片９４に抱持されるようになっている。この場合、第２電線保持部９３の側方には、中段部９０及び上段部９１の各下側コネクタ４０Ｃ〜Ｅから引き出された電線群４７が隣接して配されている。したがって、上板８３の下面では、中段部９０及び上段部９１からの電線群４７と下段部８９からの電線群４７とが互いに干渉することなく幅方向に並列に配線されることとなる。なお、電線群４７は、内側板８１及び外側板８２に内側から当接することで、コネクタ保持具８０の外側にはみ出ることなくコネクタ保持具８０内に収められる。
【００４５】
また、コネクタ保持具８０の上段部９１には、図３に示すように、斜面の後端から後方へほぼ水平に延びる突片部９５が形成されている。突片部９５は、制御回路基板２７と隣接して配され、ここに既述した第２ボルト受け部８６のねじ孔８７が開口して形成されている。そして、突片部９５には、各下側コネクタ４０Ａ〜Ｅからの電線群４７を上方へまとめて引き出す１つの導出部９６が後端に開口して形成されている。この導出部９６は制御回路基板２７に隣接して配され、各基板コネクタ４８と対応する下側コネクタ４０Ａ〜Ｅとを接続する電線４６の長さを短くさせている。
【００４６】
突片部９５の上面には案内壁９７が導出部９６の口縁から立ち上げ形成されている。このうち、カバー５１の片側の側板５３と対面する部分は、他よりも一段高くされた仕切り部９８とされている。仕切り部９８は、前後方向に延びる形状であって、両ケーシング２０、５０の取り付け時に、カバー５１の片側の側板５３と電線群４７との間を仕切ることで、電線４６が両ケーシング２０、５０間にかみ込むのを防止する役割を果たしている。
【００４７】
また、仕切り部９８には、幅方向に一対の規制壁９９が立ち上げ形成されている。両規制壁９９間には、カバー５１の側板５３の下端部を差し込み可能な挿入空間７９が保有されている。ここで、図８に示すように、仕切り部９８の挿入空間７９に上方からカバー５１の側板５３の下端部が差し込まれると、側板５３の下端部が両規制壁９９に内側から当接し、もって下側ケーシング２０がやや傾きながらも仕切り部９８に自立状態で支持されるようになっている。このとき、カバー５１の側板５３の下端とコネクタ保持具８０の上板８３の上面との間には、上下方向に開いた作業空間７８が保有され、この作業空間７８を通して両コネクタ４０Ａ〜Ｅ、７０Ａ〜Ｅの嵌合作業を行うことが可能となっている。このように、仕切り部９８は、両コネクタ４０Ａ〜Ｅ、７０Ａ〜Ｅの嵌合時に下側ケーシング２０を仮置きする仮置き部としての役割をも果たしている。
【００４８】
コネクタ保持具８０の外側板８２は、可動プレート２４の側壁３４の内面に沿って配され、側壁３４の形状に適合する形状をなしている。このうち、側壁３４の凹部３３と対応する部分には、下側ケーシング２０の第２ロック部５６を挿入して案内可能な案内溝７７が上下方向に延出して形成されている。案内溝７７の下方には、第２ロック受け部３５が配されている。また、コネクタ保持具８０の外側板８２及び内側板８１には、位置決め壁３７を嵌合可能なスリット状の位置決め孔７６が下端に開口して形成されている。さらに、内側板８１及び外側板８２の後端部には、後端及び下端に向けて略Ｌ字形に大きく切り欠かれた段付き部７４が形成されており、この段付き部７４内に周壁３２の後壁が逃がされるようになっている。
【００４９】
次に、この実施例の便器における両コネクタ４０Ａ〜Ｅ、７０Ａ〜Ｅの嵌合方法及び両ケーシング２０、５０の組み立て方法について説明する。まず、コネクタ保持具８０の取り付け孔８８内に下方から対応する下側コネクタ４０Ａ〜Ｅを挿入し、係止片４５の係止作用によって各下側コネクタ４０Ａ〜Ｅをコネクタ保持具８０に取り付ける。続いて、第１、第２電線保持部９２、９３に、各下側コネクタから引き出された電線群４７を挿通して結束させ、さらに導出部９６を通して電線群４７をコネクタ保持具８０の上方へ導出させる。
【００５０】
次いで、下側ケーシング２０の収容部３１にコネクタ保持具８０を上方から取り付ける。このとき、周壁３２の後壁に段付き部７４の内前縁が摺動し、さらに位置決め孔７６内に位置決め壁３７が嵌合することで、コネクタ保持具８０の取り付けが案内される。こうしてコネクタ保持具８０が収容部３１に正規深さで押し込まれた状態で、第１、第２ボルト締め部４２、８５にボルト７５を締め付けることにより、コネクタ保持具８０が下側ケーシング２０に固定される。一方、上側ケーシング５０では、各部から延出される電線群６３を電線結束部６４により結束させ、電線結束部６４の前方に各上側コネクタ７０Ａ〜Ｅを臨ませる。
【００５１】
続いて、下側ケーシング２０に対して上方から上側ケーシング５０を引き降ろし、図８に示すように、仕切り部９８の挿入空間７９にカバー５１の片側の側板５３の下端部を差し込むことで、下側ケーシング２０に対して上側ケーシング５０を仮置き状態に保持する。このとき、カバー５１の片側の側板５３と可動プレート２４の片側の側壁３４とが同じ側に配され、電線結束部６４がコネクタ保持具８０の上方に対向して配される。このため、電線結束部６４から導出される電線６２の長さが短くても、上側コネクタ７０Ａ〜Ｅを下側コネクタ４０Ａ〜Ｅとの嵌合可能な位置に至らすことができる。
【００５２】
こうして上側ケーシング５０を仮置きした状態から、両コネクタ４０Ａ〜Ｅ、７０Ａ〜Ｅを互いに嵌合させる。このとき、作業者は、上側ケーシング５０を支える必要がなく、作業空間７８に両手を差し入れて両コネクタ４０Ａ〜Ｅ、７０Ａ〜Ｅの嵌合作業を行える。また、下側ケーシング２０の片側の縁部で接続を行えるので、手探りで作業を行わずに済み、良好な作業性が確保される。
【００５３】
全てのコネクタ４０Ａ〜Ｅ、７０Ａ〜Ｅの嵌合作業を終えたら、続いて、上側ケーシング５０を少し持ち上げて仕切り部９８から解離させ、そこからさらに上側ケーシング５０を引き下げて下側ケーシング２０に取り付ける。上側ケーシング５０を下降させる過程では、第２ロック部５６がコネクタ保持具８０の案内溝７７内に摺動可能に挿入されるとともに、カバー５１の両側板５３及び背板５４がベースプレート２１に外側から摺動可能に被嵌される。このため、上側ケーシング５０の前後方向及び幅方向への遊動が規制され、上側ケーシング５０の取り付けの円滑性が確保される。両ケーシング２０、５０が正規に取り付けられると、第１、第２ロック部５５、５６が第１、第２ロック受け部３６、３５に当接され、双方を貫通するボルトによって両ケーシング２０、５０が固定される。
【００５４】
以上説明したように、この実施例によれば、複数の下側コネクタ４０Ａ〜Ｅがコネクタ保持具８０に保持されているため、複数個所に分散されるよりも、両コネクタ４０Ａ〜Ｅ、７０Ａ〜Ｅの嵌合作業を容易に行うことができる。この場合、コネクタ保持具８０が下側ケーシング２０の片側の縁部に沿って配されているから、作業者の手がより届きやすい。しかも、各下側コネクタ４０Ａ〜Ｅから引き出された電線群４７がコネクタ保持具８０の下面に隠蔽され、さらに上側ケーシング５０では同じ片側の縁部に各上側コネクタ７０Ａ〜Ｅが配されることによって各上側コネクタ７０Ａ〜Ｅから引き出される電線６２の長さを短くできるため、作業中に電線群４７、６３がからまる等するのが回避され、両コネクタ４０Ａ〜Ｅ、７０Ａ〜Ｅの嵌合作業をいっそう容易に行うことができる。
【００５５】
＜他の実施例＞
本発明は上記記述及び図面によって説明した実施例に限定されるものではなく、例えば次のような実施例も本発明の技術的範囲に含まれる。
（１）コネクタ保持具は、下側ケーシングの平面視中央よりも端寄りに配されていればよく、例えば、下側ケーシングの片側の側壁から少し離れて配されていてもよい。
（２）上側ケーシングを仮置きする仮置き部は、下側ケーシングにも形成してよい。また、仮置き部は、仕切り部以外の部分で構成されてもよい。
（３）各下側コネクタは、コネクタ保持具に複数列に亘って取り付けられてもよい。
（４）両ケーシング内には、洗浄タンク等が収容されてもよい。
【符号の説明】
【００５６】
１０…便器本体
２０…下側ケーシング
２７…制御回路基板
３５…第２ロック受け部（ロック受け部）
４０Ａ〜Ｅ…下側コネクタ
４６、６２…電線
４７、６３…電線群
６４…電線結束部
５０…上側ケーシング
５６…第２ロック部（ロック部）
７０Ａ〜Ｅ…上側コネクタ
７８…作業空間
８０…コネクタ保持具
９２…第１電線保持部（電線保持部）
９３…第２電線保持部（電線保持部）
９６… 導出部
９８…仕切り部（仮置き部）
【図１】
2010196368.tif 000003
【図２】
2010196368.tif 000004
【図３】
2010196368.tif 000005
【図４】
2010196368.tif 000006
【図５】
2010196368.tif 000007
【図６】
2010196368.tif 000008
【図７】
2010196368.tif 000009
【図８】
2010196368.tif 000010